(57)【特許請求の範囲】
【請求項１】
ボウルから延びる排水管部に固定された固定端部と、駆動源からの回転力がクラッチ手段を介して伝達されて上下方向に回転可能とされた自由端部とを有する封水トラップが配設された便器の取付構造において、
前記封水トラップはケース本体部に収納されるとともにケース本体部の下部に排水口を持つ基部を備え、前記基部は外部排水管に連続する排水アジャスタと固着具により固着され、
前記固着具はボルトとナットからなり、前記排水アジャスタにナットを螺合位置に仮置する差込部が設けられ、この差込部はナットを保持する受部と、ナットの対辺間をシマリバメ嵌合する一対の側壁を備えることを特徴とする便器の取付構造。
【発明の詳細な説明】
【技術分野】
【０００１】
本発明は便器に関し、詳しくは、便器を床上に固着する際に安全確実に取付ることができる便器の取付構造の技術に関する。
【背景技術】
【０００２】
従来、特にリフォーム用の便器を床上に固着する際に便器排水装置を外部配水管に導くために排水アジャスタが用いられる。このとき、便器排水装置のケース本体部の基部が排水アジャスタに固着具によって確実に固着できないと、接合部のパッキンのシール性が悪くなり水漏れが発生するという問題があった。このような問題を解決するための便器の取付構造が特許文献１に開示されている。
【０００３】
特許文献１には、図６に示すように、弾性体の略円筒形状のブッシュ５は、上端部に上部突起片７と下端部に下部突起片８とを有しており、ブッシュ５の内部の側面に内部係止片６が設けられる。そして、この内部係止片６とボルト９の螺子部１２が係止する。便器１を床フランジ接続部２に固定するボルト９は略正方形の頭部１０と螺子のない無螺子部１１と螺子部１２とからなる。
【０００４】
便器１を取付ける際には、まず、床上に床フランジ接続部２を配置する。次に、ボルト９の螺子部１２が上側になるように頭部１０を床フランジ接続部２の図示しない矩形孔部から嵌入且つ移動して係止リブ４に係止させる。
【０００５】
ブッシュ５は便器１のボルト孔１ａに嵌入されて、上部突起片７が便器１の上面と接触し、下部突起片８が便器１の下面に接触するように係止される。
【０００６】
便器１を据付ける際には、便器１を床フランジ接続部２の上部に配置しておき、床フランジ接続部２に立設しているボルト９の螺子部１２をブッシュ５に嵌入するように便器１を下降させて便器１が床フランジ接続部２に固定される。
【０００７】
このとき、内部係止片６は弾性変形するので螺子部１２は容易に嵌入することができ、最後に化粧キャップ１３が取付けられる。このため、狭い作業スペースでナットを回動固着させる作業が不要となるので便器の取付作業が容易になる。
【特許文献１】特開２００４−２７８２５２号公報
【発明の開示】
【発明が解決しようとする課題】
【０００８】
ところが、上記の便器の取付構造においては、便器１をボルト９の長さ（高さ）まで持ち上げてから下降させる必要があるので、便器１をボルト９の先端位置に正確に嵌入することは難しく、稀ではあるが便器１がボルト９の螺子部１２に衝突してボルト９に損傷を与えることがあった。
【０００９】
そこで、本発明は、ボルトとナットが確実且つ容易に螺合できて、便器排水装置のケース本体部の基部が排水アジャスタに確実に固着できる便器の取付構造を提供することを目的とする。
【課題を解決するための手段】
【００１０】
請求項１の発明は、ボウルから延びる排水管部に固定された固定端部と、駆動源からの回転力がクラッチ手段を介して伝達されて上下方向に回転可能とされた自由端部とを有する封水トラップが配設された便器において、前記封水トラップはケース本体部に収納されるとともにケース本体部の下部に排水口を持つ基部を備え、前記基部は外部排水管に連続する排水アジャスタと固着具により固着され、前記固着具はボルトとナットからなり、前記排水アジャスタにナットを螺合位置に仮置する差込部が設けられ、この差込部はナットを保持する受部と、ナットの対辺間をシマリバメ嵌合する一対の側壁を備えることを特徴としている。
【発明の効果】
【００１１】
請求項１の発明によれば、前記基部は外部排水管に連続する排水アジャスタと固着具により固着され、前記固着具はボルトとナットからなり、前記排水アジャスタにナットを螺合位置に仮置する差込部が設けられ、この差込部はナットを保持する受部と、ナットの対辺間をシマリバメ嵌合する一対の側壁を備えるので、ナットを受部と一対の側壁で保持できるのでナットを差込部の螺合位置に安定して仮置することができる。
【００１２】
このため、ボルトはナットと容易に螺合できるので、ボルトが損傷することもなく、前記基部と排水アジャスタは確実に固着することができる。また、ナットを螺合位置に仮置しているので芯を合わせる必要がなく、ボルトを回すだけでナットに螺合できて作業性が向上する。
【発明を実施するための最良の形態】
【００１３】
以下に、本発明の実施形態を図１〜図５に基づいて説明する。
【００１４】
＜便器の取付構造の構成＞
図１に示すように、本発明の実施形態における便器の取付構造６２は便器排水装置３１のケース本体部３６と排水アジャスタ３８間の取付構造であり、固着具７０としてのボルト５３とナット６８が用いられる。
【００１５】
ここで、便器排水装置３１は、便器３２のボウル３３から延びる排水管部３４に固定された固定端部３５ａと、図示しないモータ等の駆動源からの回転力が伝達されて矢印Ｑで示すように上下方向に回転可能とされた自由端部３５ｂとを有する封水トラップ３５が配設される。
【００１６】
そして、封水トラップ３５はケース本体部３６に収納され、ケース本体部３６の下方には排水部３６ａを設けた略矩形状の基部５１を備えている。この基部５１は床面３７上に設けられる排水アジャスタ３８に固着されるが、排水アジャスタ３８の四隅部に凹部５７が設けられ、ケース本体部３６の基部５１に凸部５２が設けられ、この凹部５７と凸部５２によって排水アジャスタ３８とケース本体部３６が容易に位置合わせできる。
【００１７】
さらに、排水アジャスタ３８は外部排水管４１と繋がる床フランジ接続部４２に横引管４３を介して固着される。
【００１８】
ケース本体部３６の一側壁３６ｂには封水トラップ３５の外径に略等しい取付孔４４が設けてあり、取付孔４４に回動且つ上下反転自在な封水トラップ３５が挿入して取付けられる。さらに、封水トラップ３５の固定端部３５ａをケース本体部３６から外部に突出し、ボウル３３の後端部に形成したボウル排水口３３ａに外嵌するとともに、固定端部３５ａの外周をホースバンド等によって締め付けて固定される。
【００１９】
なお、封水トラップ３５は樹脂、ゴム等の軟質の材料で蛇腹状のホースであり伸縮および屈曲自在で、封水トラップ３５の大部分はケース本体部３６内に配置される。
【００２０】
図２、図３、図４に示すように、上記、ケース本体部３６の凸部５２は基部５１の四隅部下部５１ａに設けられ、卵形状（三次元形状）の湾曲面を備えるので、凸部５２が凹部５７に沿って三次元にガイド挿入されケース本体部３６が下降する動作に連動して排水アジャスタ３８に徐々に連続的に位置決めが確実容易にできる。このため、基部５１（ケース本体部３６）はピンポイント的に容易に排水アジャスタ３８に位置合わせできる。
【００２１】
そして、基部５１の一対の対向する辺の中央部には排水アジャスタ３８との固着用のボルト５３の挿入用のボルト穴５３ａが形成される。本実施例では中央の一対のボルト穴だけが実際に使用するため開口しているが、その両側にも予備穴５３ｂが用意されている。予備穴５３は実際のボルト穴が形成されない薄板状であるが使用時には簡単にボルト穴が開けられるようになっている。基部５１の中央部には後述する排水部３６ａの周りに設けられるパッキンが当接する領域６１を備えて形成される。
【００２２】
なお、基部５１から下方にベース５４が延設されているが、これは排水アジャスタ３８が使用されない場合にケース本体部３６を床面３７に直接設置する場合にも兼用できるように設けられたものであり、本実施例では使用されない。
【００２３】
排水アジャスタ３８は略矩形フランジ形状の受部５５と、床に固着するベース５６と、受部５５とベース５６間に挟まれる排水部６５とからなる。受部５５の中央部には排水孔５５ｂと、排水部６５の一側面６５ａに横引管４３を挿入するための挿入口６５ｂを備え、ケース本体部３６からの排水を横引管４３の方向に９０度変えることができる。
【００２４】
受部５５の四隅部５５ａには、上記、ケース本体部３６の基部５１を所定の位置まで凸部５２を介してガイドするための略平面状の凹部５７が形成され、中央部には排水孔５５ｂを囲んで図示しないパッキンが挿入されるパッキン溝５８が設けられる。
【００２５】
受部５５の一対の対向する辺５５ｃの各３箇所には図示しないナットを螺合位置に仮置するためのＵ字形の差込部５９が形成される。なお、実施例では中央の一対の差込部５９だけが使用される。差込部５９を囲んで一対の三角形状の補強材６２ａが受部５５と排水部６５間に設けられる。
【００２６】
図５に示すように、ナット６８を螺合位置に仮置するための差込部５９は受部５５の裏面５５ｄに設けられ、差込部５９は一対の側面６６とその先端に受部６７を備えるアングル形状材と両側面６６間を連結する奥側面６６ａとで囲まれた略直方体形状である。
【００２７】
差込部５９の広さは、両側面６６間の内法幅Ｓ、内法高さＨ、奥側面６６ａまでの奥行Ｔである。
【００２８】
使用されるナット６８は例えば四角ナットで、対辺寸法Ｓ１ｘＳ１で厚さＨ１とすると、両側面６６間の内法幅Ｓはナット６８の対辺寸法Ｓ１に対してシマリバメ状態の嵌合寸法に設けられるので、Ｓ＜Ｓ１の関係である。また、仮置状態のナット６８の上部は、ナット６８の差込を容易にするため、受部５５との間に空間を持たせて、Ｈ＞Ｈ１の関係に形成される。ナット６８は奥側面６６ａと接するように挿入されるので、差込部５９の中心線Ｗ上で奥側面６６ａからナット６８の中心までの長さＵ＝Ｓ１／２である。
【００２９】
このように、排水アジャスタ３８とケース本体部３６が位置合わせされた状態で、ナット６８の中心位置は基部５１のボルト穴５３ａと平面的に同じ位置になっているので、ボルト５３を垂直に挿入するだけで容易にナット６８の中心に当接することができる。そして、ボルト５３を回すだけでナット６８と螺合できて最終的にナット６８は受部５５の裏面５５ｄに上昇して圧着係止する。
【００３０】
なお、受部５５はボルト５３が垂直に挿通できる隙間５５ｆを保持するためにＵ字形状に切欠かれるので、ボルト５３の直径Ｙ、切欠幅（隙間）Ｙ１とすると、Ｙ１＞Ｙの関係である。（受部６７間もボルト５３が挿入できる隙間６７ａが同じ切欠幅Ｙ１で形成される）。受部５５はＵ字形状に沿って斜め下方に傾斜する傾斜端面５５ｅが形成される。
【００３１】
なお、実施例では中央の一対の差込部５９だけが使用され、他の二対は予備なので受部６７にボルト５３が挿入できる隙間６７ａは形成されない。
【００３２】
＜便器の取付構造の作用＞  
上記のように、両側面６６の内法幅Ｓがナット６８の対辺寸法Ｓ１に対してシマリバメの嵌合寸法に設けられるので、差込部５９に挿入されたナット６８は、仮置状態ではあるが容易に移動することなく安定してボルト５３との螺合位置に保持される。
【００３３】
ナット６８は奥側面６６ａと接する位置まで挿入するので、ナット６８の挿入位置を確認する必要がなく、容易且つ確実に仮置状態に位置決めすることができる。受部５５はＵ字形状に沿って斜め下方に傾斜する傾斜端面５５ｅを形成しているので、ナット６８の差込部５９への指による挿入作業がさらに容易になることに加えて、ボルト５３をボルト穴５３ａに挿入した場合にボルト５３をナット６８の位置までさらに容易にガイドすることができる。
【００３４】
このように、ナット６８を人手により操作、保持する必要がないので、ボルト５３を回すだけでナット６８に容易に確実に螺合することができるので作業性が向上し、確実にケース本体部３６と排水アジャスタ３８を固着することができる。
【００３５】
なお、差込部５９にナット６８を挿入するかわりにナットをインサート成型する方法もあるが、この方法はインサート成型の作業コストが高いため合理的な方法ではない。
【００３６】
以上、本発明の実施形態を図面に基づいて説明したが、上記の実施例はいずれも本発明の一例を示したものであり、本発明はこれらに限定されるべきでないということは言うまでもない。使用するナット６８は四角ナットに拘らず、六角ナット等でもよい。
【図面の簡単な説明】
【００３７】
【図１】本発明の実施形態における、ケース本体部３６と排水アジャスタ３８間の固着具７０による便器の取付構造６２の状態を示す側面透視図である。
【図２】本発明の実施形態における、ケース本体部３６の斜視図である。
【図３】本発明の実施形態における、図２のＢ−Ｂ矢視図である。
【図４】本発明の実施形態における、排水アジャスタ３８の斜視図である。
【図５】本発明の実施形態における、便器の取付構造６２の差込部５９の配置を示す、（ａ）は平面図、（ｂ）は正面図である。
【図６】従来の便器の取付構造を示す断面透視図である。
【符号の説明】
【００３８】
５３  ボルト
５５  受部
５５ｄ  裏面
５５ｆ  隙間
５９  差込部
６２  便器の取付構造
６６  側面
６６ａ  奥側面
６７  受部
６７ａ  隙間
６８  ナット
Ｗ  中心線
Ｕ  長さ
Ｓ  内法幅
Ｓ１  対辺寸法
Ｙ１  切欠幅
【図１】
0004548293.tif 000002
【図２】
0004548293.tif 000003
【図３】
0004548293.tif 000004
【図４】
0004548293.tif 000005
【図５】
0004548293.tif 000006
【図６】
0004548293.tif 000007